【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
物体側から像側へ順に、負の屈折力の第１レンズ群、正の屈折力の第２レンズ群、負の屈折力の第３レンズ群より構成され、ズーミングに際して隣り合うレンズ群の間隔が変化するように各レンズ群が移動するズームレンズであって、
広角端における前記第２レンズ群の横倍率をβ２ｗ、望遠端における前記第２レンズ群の横倍率をβ２ｔ、広角端における前記第３レンズ群の横倍率をβ３ｗ、望遠端における前記第３レンズ群の横倍率をβ３ｔとするとき、
２．７＜β２ｔ／β２ｗ＜５．０
０．５２＜（β３ｔ／β３ｗ）／（β２ｔ／β２ｗ）＜０．９０
なる条件式を満足することを特徴とするズームレンズ。
【請求項２】
前記第２レンズ群の焦点距離をｆ２、前記第３レンズ群の焦点距離をｆ３、広角端における前記ズームレンズの焦点距離をｆｗ、望遠端における前記ズームレンズの焦点距離をｆｔとするとき、
−１．６＜（ｆ２・ｆ３）／（ｆｗ・ｆｔ）＜−０．３
なる条件式を満足することを特徴とする請求項１に記載のズームレンズ。
【請求項３】
前記第１レンズ群の焦点距離をｆ１、広角端における前記ズームレンズの焦点距離をｆｗ、望遠端における前記ズームレンズの焦点距離をｆｔとするとき、
−１．０８＜ｆ１／√（ｆｗ・ｆｔ）＜−０．６０
なる条件式を満足することを特徴とする請求項１又は２に記載のズームレンズ。
【請求項４】
前記第２レンズ群の焦点距離をｆ２、前記第３レンズ群の焦点距離をｆ３とするとき、−１．３０＜ｆ２／ｆ３＜−０．５０
なる条件式を満足することを特徴とする請求項１乃至３のいずれか１項に記載のズームレンズ。
【請求項５】
前記第１レンズ群は、正レンズと負レンズを接合した接合レンズを含み、該接合レンズの正レンズのアッベ数をνｄ１ｐ、該接合レンズの負レンズのアッベ数をνｄ１ｎとするとき、
２７．０＜νｄ１ｐ−νｄ１ｎ＜５０．０
なる条件式を満足することを特徴とする請求項１乃至４のいずれか１項に記載のズームレンズ。
【請求項６】
前記第２レンズ群は複数の正レンズを有し、該複数の正レンズのアッベ数の平均値をνｄ２ｐとするとき、
６２．０＜νｄ２ｐ
なる条件式を満足することを特徴とする請求項１乃至５のいずれか１項に記載のズームレンズ。
【請求項７】
前記第３レンズ群の焦点距離をｆ３、望遠端における前記ズームレンズの焦点距離をｆｔとするとき、
−０．８５＜ｆ３／ｆｔ＜−０．１０
なる条件式を満足することを特徴とする請求項１乃至６のいずれか１項に記載のズームレンズ。
【請求項８】
前記第１レンズ群は、物体側から像側へ順に、像側の面が凹形状の負レンズ、像側の面が凹形状の負レンズと物体側の面が凸形状の正レンズとを接合した接合レンズより構成されることを特徴する請求項１乃至７のいずれか１項に記載のズームレンズ。
【請求項９】
前記第１レンズ群は、物体側から像側へ順に、像側の面が凹形状の負レンズ、物体側が凸形状の正レンズ、像側の面が凹形状の負レンズと物体側の面が凸形状の正レンズとを接合した接合レンズより構成されることを特徴する請求項１乃至７のいずれか１項に記載のズームレンズ。
【請求項１０】
前記第２レンズ群は、物体側から像側へ順に、正レンズ、負レンズ、正レンズ、正レンズより構成されることを特徴とする請求項１乃至９のいずれか１項に記載のズームレンズ。
【請求項１１】
前記第２レンズ群は、物体側から像側へ順に、正レンズ、正レンズ、負レンズ、正レンズ、正レンズより構成されることを特徴とする請求項１乃至９のいずれか１項に記載のズームレンズ。
【請求項１２】
前記第２レンズ群は、物体側から像側へ順に、正レンズ、負レンズ、正レンズ、正レンズ、正レンズより構成されることを特徴とする請求項１乃至９のいずれか１項に記載のズームレンズ。
【請求項１３】
無限遠から近距離へのフォーカシングに際して、前記第３レンズ群は物体側へ移動することを特徴とする請求項１乃至１２のいずれか１項に記載のズームレンズ。
【請求項１４】
前記第３レンズ群は１つの負レンズから構成されていることを特徴とする請求項１乃至１３のいずれか１項に記載のズームレンズ。
【請求項１５】
前記第３レンズ群は物体側から像側へ順に、負レンズ、正レンズ、負レンズ、正レンズから構成されていることを特徴とする請求項１乃至１３のいずれか１項に記載のズームレンズ。
【請求項１６】
前記第３レンズ群は物体側から像側へ順に、負レンズ、負レンズ、正レンズから構成されていることを特徴とする請求項１乃至１３のいずれか１項に記載のズームレンズ。
【請求項１７】
広角端から望遠端までのズーミングに際して、前記第１レンズ群は像側に移動した後に物体側へ移動し、前記第２レンズ群および前記第３レンズ群は共に物体側に移動することを特徴とする請求項１乃至１６のいずれか１項に記載のズームレンズ。
【請求項１８】
開口絞りを有し、
ズーミングに際して、前記開口絞りは前記第１レンズ群、前記第２レンズ群、前記第３レンズ群のいずれとも異なる軌跡で移動することを特徴とする請求項１乃至１７のいずれか１項に記載のズームレンズ。
【請求項１９】
請求項１乃至１８のいずれか１項に記載のズームレンズと、該ズームレンズによって形成された像を受光する固体撮像素子を有することを特徴とする撮像装置。
【手続補正２】
【補正対象書類名】明細書
【補正対象項目名】００１９
【補正方法】変更
【補正の内容】
【００１９】
各実施例は物体側より像側へ順に、負の屈折力の第１レンズ群Ｌ１、正の屈折力の第２レンズ群Ｌ２、負の屈折力の第３レンズ群Ｌ３より構成される３群構成のズームレンズである。広角端から望遠端へのズーミングに際しては各レンズ群が矢印の如く移動する。具体的には広角端から望遠端へのズーミングに際して、第１レンズ群Ｌ１は像側に凸状の軌跡で移動する。即ち像側へ移動した後に物体側へ移動する。第２レンズ群Ｌ２は単調に物体側に移動し、第３レンズ群Ｌ３は物体側に移動する。
【手続補正３】
【補正対象書類名】明細書
【補正対象項目名】００２０
【補正方法】変更
【補正の内容】
【００２０】
開口絞りＳＰに関しては、第２レンズ群Ｌ２の前方または第２レンズ群Ｌ２中に設置しており、ズーミングにおいて第２レンズ群と一体で移動させている。開口絞りＳＰをズーミングに際して独立に移動させる構成としても良い。即ち開口絞りＳＰを第１レンズ群Ｌ１、第２レンズ群Ｌ２、第３レンズ群Ｌ３のいずれとも異なる軌跡で移動させても良い。これによればフレア光線をカットするのが容易になる。また第２レンズ群Ｌ２と、第３レンズ群Ｌ３の変倍ための移動軌跡に関し、好ましくは、広角端から望遠端への変倍においていずれも像面側から物体側に同じ方向に単調移動させる軌跡が良い。これにより、移動軌跡範囲を共有させやすくなりレンズ全長を短縮しつつ、全系の小型化が容易になる。
【手続補正４】
【補正対象書類名】明細書
【補正対象項目名】００３０
【補正方法】変更
【補正の内容】
【００３０】
第１レンズ群Ｌ１の焦点距離をｆ１とする。第２レンズ群Ｌ２の焦点距離をｆ２とする。第３レンズ群Ｌ３の焦点距離をｆ３とする。広角端におけるズームレンズ（全系）の焦点距離をｆｗ、望遠端における全系の焦点距離をｆｔとする。第１レンズ群Ｌ１は、正レンズと負レンズを接合した接合レンズを含み、接合レンズの正レンズのアッベ数をνｄ１ｐ、接合レンズの負レンズのアッベ数をνｄ１ｎとする。第２レンズ群Ｌ２は複数の正レンズを有し、複数の正レンズのアッベ数の平均値をνｄ２ｐとする。